(57)【特許請求の範囲】
【請求項１】
マルチドーズ型洗浄製品のウェブであって、
第１の端、第２の端、第１の複数の凹部、及び第２の複数の凹部を有するキャリアシート、
前記第１の複数の凹部内に配置され、第１の洗浄組成物を収容する第１の複数のパウチ、
前記第２の複数の凹部内に配置され、第２の洗浄組成物を収容する第２の複数のパウチ、を備え、
各マルチドーズ型洗浄製品が、少なくとも一対の重なり合う第１及び第２のパウチ、ならびに少なくとも一対の重なり合う第１及び第２の凹部により画定されるように、前記キャリアシートの前記第１の端が、前記キャリアシートの前記第２の端に折り重ねられ、
前記キャリアシートの前記第１と第２の端の間で異物の進入を阻害するために、前記キャリアシートの前記第１及び第２の端が一つに封着されている、ウェブ。
【請求項２】
前記第１及び第２の複数のパウチが、水溶性材料から作製される、請求項１に記載のウェブ。
【請求項３】
前記キャリアシートが、耐水性材料から作製される、請求項２に記載のウェブ。
【請求項４】
前記第１の洗浄組成物で充填される第１のホルダ及び前記第１のホルダの開放端を覆う第１の蓋を有する前記第１の複数のパウチの各々と、
前記第２の洗浄組成物で充填される第２のホルダ及び前記第２のホルダの開放端を覆う第２の蓋を有する前記第２の複数のパウチの各々と、を備える、請求項３に記載のウェブ。
【請求項５】
前記第１及び第２のホルダが、前記キャリアシートに熱成形される、請求項３に記載のウェブ。
【請求項６】
前記マルチドーズ型洗浄製品のうちの少なくとも１つが、少なくとも、（ｉ）二対の重なり合う第１及び第２のパウチであって、各対が１つの前記第１のパウチと、１つの前記第２のパウチとを含む、二対の重なり合う第１及び第２のパウチ、及び（ｉｉ）二対の重なり合う第１及び第２の凹部であって、各対が１つの前記第１の凹部と、１つの前記第２の凹部とを含む、二対の重なり合う第１及び第２の凹部、により画定される、請求項１〜５のいずれか１項に記載のウェブ。
【請求項７】
マルチドーズ型洗浄製品が前記ウェブから別個に切り離し可能になるように、前記キャリアシート内に形成された複数の脆弱な引裂き線を備える、請求項６に記載のウェブ。
【請求項８】
前記第１の洗浄組成物が、食器洗い洗剤、洗濯洗剤、水軟化剤、またはすすぎ助剤のうちの少なくとも１つである、請求項１〜７のいずれか１項に記載のウェブ。
【請求項９】
第１の端及び第２の端を有し、前記第１の端が前記第２の端に重なり、かつ、封着されて、封着された内部容積を画定する、折り重ねられたキャリアシートと、
前記封着された内部容積内にあり、第１の洗浄組成物を収容する第１のパウチと、
前記封着された内部容積内にあり、第２の洗浄組成物を収容する第２のパウチと、を備える、マルチドーズ型洗浄製品。
【請求項１０】
前記第１のパウチが、前記第１の洗浄組成物で充填される第１の水溶性のホルダ及び前記第１の水溶性のホルダの開放端を覆う第１の水溶性の蓋により形成される、請求項９に記載のマルチドーズ型洗浄製品。
【請求項１１】
前記第２のパウチが、第２の洗浄組成物で充填される第２の水溶性のホルダ及び前記第２の水溶性のホルダの開放端を覆う第２の水溶性の蓋により形成される、請求項１０に記載のマルチドーズ型洗浄製品。
【請求項１２】
前記折り重ねられたキャリアシートが、耐水性材料から作製される、請求項１１に記載のマルチドーズ型洗浄製品。
【請求項１３】
前記第１及び第２の水溶性のホルダが、前記折り重ねられたキャリアシートに熱成形される、請求項１２に記載のマルチドーズ型洗浄製品。
【請求項１４】
前記第１の洗浄組成物が、食器洗い洗剤、洗濯洗剤、水軟化剤、またはすすぎ助剤のうちの少なくとも１つである、請求項９〜１３のいずれか１項に記載のマルチドーズ型洗浄製品。
【請求項１５】
マルチドーズ型洗浄製品のウェブを作製する方法であって、
第１のフィルムをキャリアシートと対面させて位置付けることと、
前記第１のフィルム及び前記キャリアシートを成形装置の型に送り込み、前記キャリアシートを前記型と前記第１のフィルムとの間に位置付けることと、
前記第１のフィルム及び前記キャリアシートを前記型上で同時に成形して、前記第１のフィルム内の第１の複数の内ホルダ、前記第１のフィルム内の第２の複数の内ホルダ、前記第１の複数の内ホルダと対応する前記キャリアシート内の第１の複数の外ホルダ、及び前記第２の複数の内ホルダと対応する前記キャリアシート内の第２の複数の外ホルダを画定することと、
前記第１の複数の内ホルダの各々を第１の洗浄組成物で充填し、前記第２の複数の内ホルダの各々を第２の洗浄組成物で充填することと、
前記第１のフィルムを覆うように第２のフィルムを位置付けることと、
前記第２のフィルムを前記第１の複数の内ホルダの各々の縁周りに封着して、第１の複数のパウチを画定し、前記第２のフィルムを前記第２の複数の内ホルダの各々の縁周りに封着して、第２の複数のパウチを画定することと、
前記第１の複数のパウチの各々が、前記第２の複数のパウチのうちの対応する１つに重なり合うように、前記キャリアシートを前記第１の複数の外ホルダと前記第２の複数の外ホルダとの間の線に沿って折り重ねることと、
前記キャリアシートの重なり合う部分間で異物の進入を阻害するために、前記キャリアシートの重なり合う部分を一つに封着することと、を含む、方法。
【請求項１６】
前記第１及び第２のフィルムの各々が、水溶性材料から作製される、請求項１５に記載の方法。
【請求項１７】
前記キャリアシートが、耐水性材料から作製される、請求項１６に記載の方法。
【請求項１８】
前記第１のフィルム及び前記キャリアシートを前記型上で熱成形して、前記第１及び第２の複数の内ホルダ、ならびに前記第１及び第２の複数の外ホルダを画定することを含む、請求項１７に記載の方法。
【請求項１９】
前記第１のフィルム及び前記第２のフィルムを切断することと、前記第１のフィルムを切断することにより生産される廃棄材料の領域を取り除いて、前記第１及び第２の複数のパウチを分離することと、を含む、請求項１５〜１８のいずれか１項に記載の方法。
【請求項２０】
各マルチドーズ型洗浄製品が、少なくとも一対の重なり合う第１及び第２の外ホルダ、ならびに一対の重なり合う第１及び第２のパウチにより画定される、請求項１５〜１９のいずれか１項に記載の方法。
【請求項２１】
前記マルチドーズ型洗浄製品が前記ウェブから別個に切り離し可能になるように、前記キャリアシート内に複数の脆弱な引裂き線を形成することを含む、請求項１５〜２０のいずれか１項に記載の方法。
【請求項２２】
前記第１の洗浄組成物が、食器洗い洗剤、洗濯洗剤、水軟化剤、またはすすぎ助剤のうちの少なくとも１つである、請求項１５〜２１のいずれか１項に記載の方法。
【発明の詳細な説明】
【技術分野】
【０００１】
関連出願の相互参照
２０１５年２月２６日出願の米国特許出願第１４／６３２，７９９号の優先権の利益が主張され、その内容全体が、参照により本明細に明示的に組み込まれている。
【０００２】
本開示は、概して包装に関し、より具体的には、マルチドーズ型（多回使用型）の洗浄製品用の包装に関する。
【背景技術】
【０００３】
マルチドーズ型洗浄製品は一般的に、食器洗い及び衣類洗い用途で使用される。マルチドーズ型洗浄製品は典型的に、別個の区画内に２つ以上の異なる洗浄組成物（例えば、１つの区画内には洗剤及び別の区画内にはすすぎ助剤）を含む。各区画内の洗浄組成物の量は、消費者が各洗浄組成物の適切な量を測定する必要がないように事前に測定される。また、各用量が個々に詰められているため、刺激性の可能性がある洗浄組成物と肌との接触の危険性が低減される。加えて、マルチドーズ型洗浄製品は、消費者が、別々に洗浄組成物を購入する必要がなく、単一製品を購入するのを可能にする。
【０００４】
マルチドーズ型洗浄製品は典型的に、２つ以上の水溶性パウチを備え、各々が、それぞれの洗浄組成物（例えば、粉末洗剤、液体すすぎ助剤、水軟化剤など）で充填される。水溶性パウチの外壁は典型的に非常に薄く、よって、特に本製品が供給網を通過する際に損傷を受け易い。水溶性パウチは、それらを洗浄用途で使用する前に、保管もしくは輸送中、または任意の他の点で、水、水蒸気、または任意の他の腐食の可能性がある成分に曝露されると、水溶性パウチが早期に溶解し、それらの内容物が放出される危険性がある。さらに、輸送中、他の物品と一緒の移動及びそれらとの接触は、水溶性パウチの薄膜を意図せずに傷つける場合がある。
【０００５】
水溶性パウチを損傷から保護するために、パウチは典型的に、保護用自立型袋の中に入れられる。これらの袋は典型的に、堅固性を提供するための、ポリエチレンテレフタレート（ＰＥＴ）などの別の材料と積層されるポリエチレン（ＰＥ）フィルムから作製される。この種類の二次包装は、外的要因から水溶性パウチを防御するが、それはいくつかの欠点を有する。水溶性パウチのうちの１つが、例えば、機械的衝撃に起因して袋の中で破損した場合、損傷したパウチからその内容物が漏れて、袋の中の他の水溶性パウチを損なう場合がある。また、消費者が所望の数の水溶性パウチを取り出した後に袋を再封着し得るように、再封着機構を含むことが典型的に必要である。かかる再封着機構は、袋の製造費用を増加させる。加えて、袋はかさばって、積み重ねしにくい傾向にあり、したがって、かなりの棚スペースを必要とする。
【０００６】
水溶性パウチに伴う別の問題は、それらの水溶性フィルムが、熱成形中、「シュリンクバック」を起こす性質を有することである。この特質は、ファイリングの段階で最大量のパウチが利用されるのを妨げ得る。米国特許公開第２００４／０１４２１３１号に記載されるように、シュリンクバックの効果を低減するために、水溶性フィルムをプラスチックキャリアシートと１つに熱成形することが知られている。水溶性フィルムとプラスチックキャリアシートとを同時に熱成形する効果は、水溶性フィルムが、プラスチックキャリアシートに対する一時的または恒久的な親和性を得ることである。結果として、水溶性フィルムは、その形状を保持し、充填前にシュリンクバックが起こる可能性がより低くなる。したがって、ファイリングの段階で最大量のパウチを利用することが可能になる。プラスチックキャリアシートの追加の有益点は、熱成形プロセスが完了すると、水溶性パウチに対して外部保護枠としての役割を果たし得ることである。よって、プラスチックシートは、水溶性パウチを保護用外部袋内に収納する必要性を排除する。
【０００７】
米国特許公開第２００４／０１４２１３１号は、第１の水溶性フィルムを第１のプラスチックキャリアシートに熱成形し、その後、第２の水溶性フィルム及び第２のプラスチックキャリアシートを、第１の水溶性フィルム及び第１のプラスチックシートにより成形された構造体の上部に封着することを記載する。第２のプラスチックキャリアシートを含むことは、製造費用及び製造時間を増加させる。また、米国特許公開第２００４／０１４２１３１号に記載される熱成形プロセスは、ユニットドーズ型洗浄製品を生産することしか可能でない。これは、各外部プラスチック区画が単一の水溶性パウチにのみ適合し得るためである。したがって、米国特許公開第２００４／０１４２１３１号に記載される方法は、マルチドーズ型洗浄製品を作製するのに好適ではない。
【発明の概要】
【０００８】
本開示の一態様は、キャリアシートと、第１の複数のパウチと、第２の複数のパウチとを含むマルチドーズ型洗浄製品のウェブを提供する。キャリアシートは、第１の端と、第２の端と、第１の複数の凹部と、第２の複数の凹部とを有する。第１の複数のパウチは、第１の複数の凹部内に配置され、第１の洗浄組成物を収容する。第２の複数のパウチは、第２の複数の凹部内に配置され、第２の洗浄組成物を収容する。各マルチドーズ型洗浄製品が、少なくとも一対の重なり合う第１及び第２のパウチ、ならびに少なくとも一対の重なり合う第１及び第２の凹部により画定されるように、キャリアシートの第１の端は、キャリアシートの第２の端に折り重ねられる。
【０００９】
本開示の別の態様は、マルチドーズ型洗浄製品を提供する。マルチドーズ型洗浄製品は、封着された内部容積を画定する折り重ねられたキャリアシートと、第１のパウチと、第２のパウチとを含む。第１のパウチは、封着された内部容積内にあり、第１の洗浄組成物を収容する。第２のパウチも、封着された内部容積内にあり、第２の洗浄組成物を収容する。
【００１０】
本開示のまた別の態様は、マルチドーズ型の洗浄製品のウェブを作製する方法を含む。本方法は、（ａ）第１のフィルムをキャリアシートと対面させて位置付けることと、（ｂ）第１のフィルム及びキャリアシートを、成形機の型に、キャリアシートが型に最も近い状態で、送り込むことと、（ｃ）型上で第１のフィルムとキャリアシートを同時に成形して、第１の複数の内ホルダを第１のフィルムに、第２の複数の内ホルダを第１のフィルムに、第１の複数の外ホルダをキャリアシートに、そして第２の複数の外ホルダをキャリアシートに、画定することと、（ｄ）第１の複数の内ホルダの各々に第１の洗浄組成物を充填し、第２の複数の内ホルダの各々に第２の洗浄組成物を充填することと、（ｅ）第１のフィルムを覆うように第２のフィルムを位置付けることと、（ｄ）第２のフィルムを第１の複数の内ホルダの各々の縁周りで封着して、第１の複数のパウチを画定し、第２のフィルムを第２の複数の内ホルダの各々の縁周りで封着して、第２の複数のパウチを画定することと、（ｅ）第１の複数のパウチの各々が第２の複数のパウチのうちの対応する１つと重なり合うように、キャリアシートを、第１の複数の外ホルダと第２の複数の外ホルダとを分割する線に沿って折り重ねることと、（ｆ）キャリアシートの重なり合う部分を一つに封着することと、を含む。
【図面の簡単な説明】
【００１１】
【図１】本開示の原理に従って構築されたマルチドーズ型の製品のウェブの一実施形態の斜視図である。
【図２】折り畳み前の、パウチのない、図１のウェブのキャリアシートの斜視図である。
【図３】Ａ−Ａ面に沿った図１の断面図である。
【図４】Ｂ−Ｂ面に沿った図１の断面図である。
【図５】本開示の原理に従ってマルチドーズ型の製品のウェブを作製する方法の一実施形態の概略表現である。
【図６】第１及び第２のフィルムの余分な部分を切り取って、個々のパウチを作り出す前のマルチドーズ型の製品のウェブの側面図である。
【図７】第１及び第２のフィルムの余分な部分を切り取って、個々のパウチを作り出す概略表現である。
【図８】ウェブを折り重ねる側面図である。
【発明を実施するための形態】
【００１２】
本開示は、概して、マルチドーズ型（多回使用型）の洗浄製品のウェブの製造及び構成に関する。ウェブは、第１の水溶性フィルムを耐水性キャリアシートに熱成形し、続いて、第２の水溶性フィルムを第１の水溶性フィルムに封着して、複数のパウチを画定することによって作り出され得る。第１の水溶性フィルムと耐水性キャリアシートとを同時に熱成形することは、この２つの材料の間に一時的または恒久的な親和性をもたらし、これは、第１の水溶性フィルムのシュリンクバックの効果を低減するか、または排除する。ゆえに、第１の水溶性フィルムにより形成されたパウチは、洗浄組成物で充填される前にシュリンクバックを起こさない場合がある。シュリンクバックの効果を低減することに加えて、耐水性キャリアシートは、機械的損傷、ならびに／または水及び酸素などの外的要因からパウチを保護する外部枠を提供し得る。ゆえに、別個の保護袋または箱は、保管及び輸送中にパウチを保護するために必要とされない。さらに、パウチが重なり合う対に配列されるように、耐水性キャリアシートは、それ自体に折り重ねられ得る。重なり合うパウチの各対は、耐水性キャリアシートの隣接する部分と組み合わせて、マルチドーズ型洗浄製品を画定し得る。耐水性キャリアシートの重なり合う端は、外的要因に対してさらなる障壁を提供するために一つに装着され得る。耐水性キャリアシートの折り重ねられた構成は、パウチの露出した側を覆うための第２の耐水性キャリアシートの必要性を排除し、さらに、マルチドーズ型洗浄製品の単純な構築を提供する。
【００１３】
折り重ねられた構成の別の有益点は、多くのマルチドーズ型洗浄製品からなるウェブが販売地点に移送され得、そこで、１つ１つのマルチドーズ型洗浄製品をウェブから切り離して、消費者に個々に販売できることである。したがって、マルチドーズ型洗浄製品のウェブは、消費者に対して個々のダブルドーズ、トリプルドーズなどの洗浄製品の販売を容易にし、これは、消費者が多数のマルチドーズ型洗浄製品を含むウェブを購入するには不十分である可処分所得を有する発展途上国において有用であり得る。また、個々のマルチドーズ型洗浄製品がウェブの形態で相互連結されているため、それらは、保管及び輸送中、他のマルチドーズ型洗浄製品のウェブ及び他の物品と容易に積み重ねられ得、かつ保管され得る。マルチドーズ型洗浄製品のウェブの追加の有益点及び利点は、以下の記述により明らかになるであろう。
【００１４】
図１は、マルチドーズ型洗浄製品１０のウェブ８の１つの考えられる実施形態を例示する。ウェブ８は、第１の端２２が第２の端２４に折り重ねられたキャリアシート２０を含む。キャリアシート２０はまた、型上でキャリアシート２０を熱成形することによって作り出される複数の凹部２６も含む。キャリアシート２０が熱成形された後、かつキャリアシート２０を折り重ねる前に、凹部２６は、図２で例示されるように、キャリアシート２０にわたって平行のパターンで配列され、行及び列を揃えられ得る。図２で例示されるキャリアシート２０は、凹部２６の２つの列を有するが、他の実施形態は、例えば、凹部２６の３つ以上の列があるなど、別様に配列されてもよい。
【００１５】
凹部２６は本質的に、それらの中に位置付けられたパウチを保護する外ホルダである。凹部２６は、熱成形中、凹部２６を型から放出するのを容易にするための四角形の断面を有し得る。凹部２６の各々の深さは、凹部２６内に位置付けられるパウチの高さと等しいか、または実質的に等しくてよい。
【００１６】
キャリアシート２０は、凹部２６を同数量の２つの群に分離する折り線２８に沿って折り重ねられる。いくつかの実施形態は、凹部２６が単一の真っ直ぐな折り線で２つの等しい群に分割され得るように、偶数の列の凹部２６を含む。キャリアシート２０の第１の端２２がキャリアシート２０の第２の端２４に折り重ねられた後、折り線２８の一方の凹部２６の各々は、折り線２８の他方の凹部２６のうちの対応する１つに重なり合い得る。この配列は、図１で描写されるように重なり合う凹部２６の対をもたらす。重なり合う凹部２６の各対は、洗浄組成物で充填される１つ以上のパウチを収納するための内部空洞３０を画定し得る。
【００１７】
図２で描写されるように、封着材料の線３２は、折り重ねた後、キャリアシート２０の第１の端２２がキャリアシート２０の第２の端２４に封着され得るようにキャリアシート２０の上面３３に適用され得る。封着材料の線３２は、外的要因（例えば、水、水蒸気、空気など）が、キャリアシート２０の第１及び第２の端２２、２４の間の空間に入ること、かつ重なり合う凹部２６の対により形成された内部空洞３０に入ることも阻害し得るか、または防ぎ得る。封着材料の線３２は、低粘着剥離性接着剤（例えば、ＵＶ硬化性アクリル系オリゴマー）から作製され得る。封着材料の線３２の代替として、または加えて、キャリアシート２０の第１及び第２の端２２、２４は、図２で例示される封着材料の線３２に対応する線に沿って、１つに熱溶接され得る。
【００１８】
さらに、図２で描写されるように、封着材料の線３２のうちの１つは、引剥ツマミ３４が、封着材料の線３２の外方向に配置されるキャリアシート２０の部分により形成されるように、キャリアシート２０の第２の端２４の外縁からずらされ得る。引剥ツマミ３４は、使用者がキャリアシート２０の重なり合う第１及び第２の端２２、２４を把握し、それらを引き離し、よって、封着材料の線３２を破損するのを補助し得る。したがって、引剥ツマミ３４は、キャリアシート２０を展開することを容易にし得、キャリアシート２０の封着された内部空洞３０の中のパウチを利用することを提供し得る。
【００１９】
キャリアシート２０は好ましくは、耐水性材料（例えば、プラスチックなどの水不溶解性の疎水性材料）から作製され、好ましくは、少なくとも半硬質である。キャリアシート２０にとって好適な材料には、ポリエステル及びナイロン／ポリエチレン積層物が含まれ、好ましくは、それらは非晶形態である。キャリアシート２０は、キャリアシート２０を処分することの、環境への影響が低減されるように、再生利用可能材料（例えば、ポリエチレンテレフタレート（ＡＰＥＴ）、ポリプロピレンなど）から作製され得る。いくつかの実施形態において、キャリアシート２０は、例えば、バイオポリマー、またはバイオマス源（例えば、テンサイ、ジャガイモ、コムギなど）を由来とする別の材料などの、カーボンニュートラル、または実質的にカーボンニュートラルである材料から作製され得る。キャリアシート２０にとって好適なカーボンニュートラルな材料の一例は、Ｔｅｉｊｉｎ  Ｌｉｍｉｔｅｄにより製造及び販売されるＢＩＯＦＲＯＮＴ（登録商標）である。ＢＩＯＦＲＯＮＴ（登録商標）は、植物系原料から生産されたバイオポリマーの一種であり、いくつかの実施形態において、立体錯体結晶構造を有し得る。キャリアシート２０の厚さは、およそ（例えば、±１０％）６０〜１０００μｍ、または１７０〜７５０μｍ以下もしくは超の範囲内であり得る。一実施形態において、キャリアシート２０は、１７０ｕｍの厚さの耐水性フィルムであり、非晶質ポリエステルＡＰＥＴから作製される。キャリアシート２０は、下記でより詳細に考察されるように、凹部２６を作り出すために熱成形され得る。
【００２０】
いくつかの実施形態において、キャリアシート２０は、「Ｄｅｇｒａｄａｂｌｅ  Ｍａｔｅｒｉａｌｓ  ａｎｄ  Ｐａｃｋａｇｉｎｇ  Ｍａｄｅ  Ｆｒｏｍ  Ｓａｍｅ」と称される米国仮特許出願第６２／０５９，７４０号に記載されるものなどのゆっくりと溶解する水溶性材料から作製され得、その全体が、参照することにより本明細書に組み込まれる。キャリアシート２０にとって好適なゆっくりと溶解する水溶性材料の例には、湯溶解性ポリビニルアルコール（ＰＶＯＨ）、ならびにＰｌａｎｔｉｃ  Ｔｅｃｈｎｏｌｏｇｉｅｓにより製造及び販売される溶解ポリビニルアルコールデンプンブレンドが含まれる。
【００２１】
図１を参照すると、複数の脆弱な引裂き線３８が、キャリアシート２０内に形成され得る。脆弱な引裂き線３８は、例えば、レーザエッチング及び／またはスコアリングを含む任意の好適な方法により形成され得る。脆弱な引裂き線３８は、ウェブ８からマルチドーズ型洗浄製品１０を個々に切り離すことを容易にし得る。図２で例示されるように、各脆弱な引裂き線３８は各々、キャリアシート２０の第１の端２２からキャリアシート２０の第２の端２４までの真っ直ぐな線に沿って延在し得る。キャリアシート２０が折り重ねられた後、各マルチドーズ型洗浄製品１０は、脆弱な引裂き線３８のうちの１つにより隣のマルチドーズ型洗浄製品１０から分離される。また、各脆弱な引裂き線３８は、図２で示されるように、封着材料の線３２によってそれぞれ反対側に接し得る。結果として、ウェブ８からマルチドーズ型洗浄製品１０のうちの１つを取り外すことは、ウェブ８に取り付けられている残りのマルチドーズ型洗浄製品１０の封着を損なうことはない。上述されるように、ウェブ８からマルチドーズ型洗浄製品１０のうちの１つを取り外せることは、消費者がマルチドーズ型洗浄製品１０を一度に１つ購入する収入しか有しない場合がある発展途上国で有利であり得る。さらに、キャリアシート２０がゆっくりと溶解する水溶性材料から作製され得るため、キャリアシート２０がごみになる可能性がより低く、これは、ごみ撤去サービスが存在しないか、または不確かな場合がある発展途上国で有益であり得る。
【００２２】
図２は、第１の複数のパウチ４０及び第２の複数のパウチ５０がキャリアシート２０のそれぞれの凹部２６内に位置付けられるのを例示する。第１の複数のパウチ４０は、キャリアシート２０の第１の端２２の凹部２６内に位置付けられ、第２の複数のパウチ４０は、キャリアシート２０の第２の端２２の凹部２６内に位置付けられる。キャリアシート２０を折り重ねる前に、折り線２８は、図２で描写されるように、第１の複数のパウチ４０を第２の複数のパウチ５０から分離し得る。折り重ねた後、第１の複数のパウチ４０の各々は、図３及び４で例示されるように、第２の複数のパウチ５０のうちの対応する１つに重なり合い得る。重なり合うパウチ４０、５０の各対は、それらの関連する凹部２６と組み合わせて、マルチドーズ型洗浄製品１０を画定し得る。図１で例示されるウェブ８は、３つのマルチドーズ型洗浄製品１０を含む。他の実施形態において、ウェブ８は、いくつかのマルチドーズ型洗浄製品１０から構築され得る。
【００２３】
第１の複数のパウチ４０の各々は、内ホルダ４２及び蓋４４により形成され得る。内ホルダ４２は、内ホルダ４２が収納される凹部２６の形状に対応する形状を有し得る。一実施形態において、内ホルダ４２は、四角の断面を有する。図３及び４で描写されるように、内ホルダ４２は、第１の洗浄組成物４８で充填される内部空洞４６を備え得る。蓋４４は、内ホルダ４４の開放端を覆い得、内ホルダ４２の縁４９周りに封着され得る。
【００２４】
同様に、第２の複数のパウチ５０の各々は、内ホルダ５２及び蓋５４により形成され得る。内ホルダ５２は、内ホルダ５２が収納される凹部２６の形状に対応する形状を有し得る。一実施形態において、内ホルダ５２は、四角の断面を有する。図３及び４で例示されるように、内ホルダ５２は、第２の洗浄組成物５８で充填される内部空洞５６を有し得る。蓋５４は、内ホルダ５４の開放端を覆い得、内ホルダ５２の縁５９周りに封着され得る。
【００２５】
下記でより詳細に考察されるように、内ホルダの各々４２、５２を作製するのに第１のフィルム６０が使用され得、蓋の各々４４、５４を作製するのに第２のフィルム６２が使用され得る。第１のフィルム６０及び／または第２のフィルム６２は、水溶性材料（例えば、親水性材料）であるのが好ましく、可撓性、半硬質、または硬質であり得る。第１のフィルム６０及び／または第２のフィルム６２は、冷水可溶性または熱水可溶性であり得る。冷水可溶性材料は、２０℃以下の水に溶ける材料である一方、熱水可溶性材料は、６０°以上の水に溶ける材料である。これらの温度間で溶ける材料も使用され得る。冷水可溶性材料で作製されたパウチは、２０℃以下の不攪拌の水に入れられると、３分以下でその内容物を放出し得る。熱水可溶性材料で作製されたパウチは、６０℃以上の不攪拌の水に入れられると、３分以下でその内容物を放出し得る。
【００２６】
第１のフィルム６０及び／または第２のフィルム６２は、単層フィルムまたは多層積層フィルムであり得る。さらに、第１及び／または第２のフィルム６０、６２は、審美的に心地よい特性を得るように、またはこれらの特徴のいずれかの組み合わせから、香り付け、または色付けされ得る。いくつかの実施形態では、第１及び第２のフィルム６０、６２は、種々の等級、厚さ、及び／または材料で作製され得る。
【００２７】
第１及び第２のフィルム６０、６２に好適な材料は、ポリビニルアルコール（ＰＶＯＨ）、セルロースエーテルなどのセルロース誘導体、ポリグリコリド、ポリラクチド、及び／またはポリラクチド−ポリグリコリドコポリマーを含む。冷水用途では、ヒドロキシプロピルメチルセルロース（ＨＰＭＣ）、ならびに上述の材料のいずれかが、第１及び第２のフィルム６０、６２に対して使用され得る。ＰＶＯＨは、ポリ酢酸ビニル（例えば、ビニルアルコール基と酢酸ビニル基とのコポリマー、またはすべてのビニルアルコール基）の部分的または完全に加水分解されたホモポリマーであり得る。加えて、ＰＶＯＨは、部分的または完全に加水分解された変性ＰＶＯＨ（モノメチルマレアートナトリウム塩または２−アシルアミド−２−メチルプロパンスルホン酸ナトリウム塩などの基を含む、例えば１〜１０モル％のアニオン性コポリマー）であり得る。例えば、ＰＶＯＨは、４０〜１００％、または７０〜９２％、または８８〜９２％の範囲でアルコールに変えられ得るかまたは加水分解され得る。ＰＶＯＨが水に溶け始める温度に影響を及ぼす加水分解度が分かっている。８８％加水分解は、冷たい（例えば、室温）水に溶けるフィルムに対応する一方、９２％加水分解は、温水に溶けるフィルムに対応する。第１及び／または第２のフィルム６０、６２用の材料には、様々な実施形態において、パウチ４０、５０の製造を容易にし得る、可塑剤及び離型剤も含まれ得る。材料は、例えば、押出し（例えば、溶融押出しなど）、吹込み（例えば、溶融吹込みなど）、及び／または流延（例えば、溶媒流延、溶液流延など）を含む、任意の工程によって生産され得る。材料は、無延伸、一軸延伸、または二軸延伸であり得る。フィルム内の層が配向される場合、それらの配向面は異なる可能性があるが、層は、普通、同じ配向を有する。
【００２８】
第１及び／または第２のフィルム６０、６２の厚さは、２０〜５００μｍ、または３０〜３００μｍ、または３５〜２００μｍ、または４０〜１６０μｍ、または４０〜１５０μｍ、または４０〜１２０μｍの範囲であり得る。一実施形態において、第１及び／または第２のフィルム６０、６２は、ＭｏｎｏＳｏｌ  Ｍ８６３０として使用可能なＰＶＯＨフィルムで作製され得、おおよそで（例えば、±１０％）７５μｍの厚さを有し得る。
【００２９】
第１及び第２の洗浄組成物４８、５８は、水性環境に放出されるように意図された任意の組成物であり得る。第１及び第２の洗浄組成物４８、５８は、食器洗い洗剤、洗濯洗剤、硬水軟化剤、すすぎ補助剤、表面クリーナなどであり得る。第１及び第２の洗浄組成物４８、５８は、殺菌、抗菌、または防腐の特性を有し得る。洗浄組成物４８、５８は、液体、ジェル、練り粉、固形、顆粒、または粉末を含むがそれらに限定されない、任意の適切な形態を取り得る。一実施形態において、洗浄組成物４８及び／または洗浄コンピュータ（ｃｌｅａｎｉｎｇ  ｃｏｍｐｕｔｅｒ）５８は、担体（例えば、水溶性粒子を含む混合物、及び水溶性粒子を溶解させることができないグリセロールまたはプロピレングリコール担体）に不溶である粒子混合物から成る、混錬（ｍｕｌｌ）の形態をとり得る。
【００３０】
好ましい実施形態において、第１の洗浄組成物４８は、第２の洗浄組成物５８と異なる。したがって、各マルチドーズ型洗浄製品は、異なる洗浄組成物を収容する２つ以上のパウチで形成され得る。ゆえに、２つ以上の異なる洗浄組成物を購入しようとする消費者は、洗浄組成物を別々に購入する代わりに、このマルチドーズ型洗浄製品を購入し得る。代替的な実施形態において、洗浄組成物４８、５８は、同じ材料から作製され得る。
【００３１】
パウチ４０、５０が洗濯用途で使用される場合、第１の洗浄組成物４８は、例えば、洗剤を含み得、第２の洗浄組成物５８は、例えば、漂白剤、染み抜き、水軟化剤、酵素、または柔軟剤を含み得る。さらに、パウチ４０、５０は、洗浄サイクルの間、異なる時間で第１及び第２の洗浄組成物４８、５８を放出するように適合され得る。例えば、第１の洗浄組成物４８に関して使用される水軟化剤は、洗浄サイクルが開始してすぐに放出され得、第２の洗浄組成物５８に関して使用される漂白剤または柔軟剤は、洗浄サイクルが終わりに近づくと放出され得るであろう。これは、第２のパウチ５０を第１のパウチ４０より厚いフィルムから製作することにより達成され得る。
【００３２】
パウチ４０、５０が食器洗い用途で使用される場合、第１の洗浄組成物４８は、例えば、洗剤を含み得、第２の洗浄組成物５８は、例えば、水軟化剤、塩、酵素、すすぎ助剤、漂白剤、または漂白活性化剤を含み得る。さらに、パウチ４０、５０は、洗浄サイクルの間、異なる時間で第１及び第２の洗浄組成物４８、５８を放出するように適合され得る。例えば、第１の洗浄組成物４８に関して使用される塩または酵素は、洗浄サイクルが開始してすぐに放出され得、第２の洗浄組成物５８に関して使用されるすすぎ助剤、漂白剤、または漂白活性化剤は、洗浄サイクルが終わりに近づくと放出され得るであろう。これは、第２のパウチ５０を第１のパウチ４０より厚いフィルムから製作することにより達成され得る。
【００３３】
パウチ４０、５０の各々は、各パウチが複数の洗浄組成物を保持し得、かつ分離した状態を保ち得るように、内部壁により複数のチャンバ（例示無し）に分割され得る。例えば、パウチ４０、５０のうちのより多くのうちの１つは、電動食器洗い洗剤で充填される第１のチャンバ及び液体すすぎ助剤で充填される第２のチャンバを有し得る。異なるチャンバを形成する内部壁は、第１及び第２のチャンバが異なる時間でそれらのそれぞれの組成物を放出するように異なる厚さを有し得る。
【００３４】
ウェブ８の本実施形態は、各々が２つのパウチを封着する３つのマルチドーズ型洗浄製品１０を含むが、代替的な実施形態は、別様に配列され得る。ウェブ８は、例えば、１０回以上のマルチドーズ型洗浄製品１０を含む任意の数のマルチドーズ型洗浄製品１０を含み得る。各マルチドーズ型洗浄製品１０は、３つ、４つ、５つ、６つ以上のパウチを含み得、いくつかまたはすべてが、異なる洗浄組成物を収容する。一実施形態において、各マルチドーズ型洗浄製品は、二対の重なり合うパウチにより形成される４つのパウチを含み、各パウチは、異なる洗浄組成物を収容する。
【００３５】
いくつかの実施形態において、異なる厚さのフィルムは、パウチを構築するために使用され得る。結果として、パウチは、水の存在下で異なる速度で溶解し得、よって、例えば、食器洗い機の洗浄サイクルの間、異なる時間でそれらの内容物を分散する。
【００３６】
マルチドーズ型洗浄製品１０のウェブ８の様々な態様は、子どもが洗浄組成物４８、５０を触り、かつ／または口に入れたくなる可能性を低減する。脆弱な引裂き線３８は、小さな子どもは、マルチドーズ型洗浄製品１０のうちの１つを残りのウェブ１０から引き裂くための把握する力を有し得ないという点で防御となる第１の策を提供し得る。子どもがこの作業を行えたとしても、キャリアシート２０の第１の端２２をキャリアシート２０の第２の端２４に接着する封着材料の線３２は、子どもがパウチ４０、５０を触るには、打破しなければならない別の障壁を提供する。いくつかの実施形態において、脆弱な引裂き線３８を破損するのに必要とされる力及び／または封着材料３２を打破するのに必要とされる力は、およそ（例えば、±１０％）２５０Ｎ以上、またはおよそ（例えば、±１０％）３００Ｎ以上であり得る。加えて、パウチ４０、５０がキャリアシート２０の中にあり、外見が隠れているため、パウチ４０、５０に関連する色及び／または香りにより、パウチ４０、５０を触ろうと子どもがウェブ８を開けたくなる可能性はより低い。
【００３７】
二次的措置も、子どもがウェブ８を開けることができたとしても、子どもがパウチ４０、５０を破り、かつ／または洗浄組成物４８、５０を口に入れるのを防ぎ、かつ／または阻止することを確実にするために実行され得る。かかる措置は、分類に関する欧州議会及び理事会の規則（ＥＣ）第１２７２／２００８号を技術的及び科学的進展に適合させる目的で、２０１４年１２月５日に改正した委員会規則（ＥＵ）第１２９７／２０１４号に記載される規定のいくつかまたはすべてに遵守するようにパウチ４０、５０を構築することを含む。これらの規定は、消費者により単回使用される用量で販売される洗剤に関する可溶性包装の安全性に関する。これらの規定の中では、可溶性包装が２０℃の水中に置かれるとき、可溶性包装は少なくとも３０秒間その内容物を保持することを必要とする。したがって、いくつかの実施形態において、パウチ４０、５０を構築するために使用される第１及び第２のフィルム６０、６２は、パウチ４０、５０が、２０℃の水中に置かれるとき、洗浄組成物４８、５０をそれらのそれぞれのパウチ４０、５０内に少なくとも３０秒間保持する能力を有し得る。この可溶性は、パウチ４０、５０が、子どもの口の中に瞬間的に置かれた場合、溶解する危険性を低減し得る。加えて、パウチ４０、５０は、およそ（例えば、±１０％）２５０Ｎ以上、またはおよそ（例えば、±１０％）３００Ｎ以上である破裂強度で構築され得る。これは、子どもが手及び／または歯でパウチ４０、５０を破るのを防ぎ得る。
【００３８】
三次的措置として、洗浄組成物４８、５０は、子どもがパウチ４０、５０を開けることができた場合、子どもが洗浄組成物４８、５０を飲み込むのを阻止する経口摂取回避剤（例えば、苦味剤）を含み得る。かかる経口摂取回避剤の例は、商品名Ｂｉｔｒｅｘで一般的に販売されるデナトニウムである。加えて、または代替的に、経口摂取回避剤は、キャリアシート２０及び／またはパウチ４０、５０を作製するのに使用される第１及び第２のフィルム６０、６２中に組み込まれ得る。経口摂取回避剤は、前述の子どもの安全措置が、子どもが洗浄組成物４０、５０を触ろうとするのを防ぐのに効果的でなかった場合の防御の最終策を提供し得る。
【００３９】
追加の子どもの安全措置は、洗浄製品１０のウェブ８中に組み込まれ得、前述の考察は、洗浄製品１０のウェブ８で使用するのに好適な子どもの安全措置の数または種類を限定することを意図しない。
【００４０】
図５〜７を参照すると、マルチドーズ型洗浄製品１０のウェブ８を製造する方法が次に説明される。図５は、ロールから熱成形機１００に、第１のキャリアシート２０といっしょに、またその上になって、送り込まれる第１のフィルム６０を図示する。キャリアシート２０と第１のフィルム６０は、熱成形機１００に移る前に、それら間に閉じ込められる空気が実質的にない状態で、それらを密接な対面接触に置くローラ（図示せず）間を通過し得る。熱成形工程では、キャリアシート２０と第１のフィルム６０との両方が、同時に成形される。つまり、熱成形機１００が、キャリアシート２０に凹部２６（すなわち、外ホルダ）を、そして第１のフィルム６０に内ホルダ４２、５２を、同時に作り出す。
【００４１】
熱成形工程は、真空成形もしくは加圧成形、またはその２つの何らかの組み合わせを伴う。真空成形は、キャリアシート２０及び第１のフィルムが型の形状を取るように、キャリアシート２０及び第１のフィルム６０を加熱し、型を第１のフィルム６０に押し付けて、第１のフィルム６０と型と間の空気を吸い出すことであり得る。加圧成形は、第１のフィルム６０が型の形状を取るように、キャリアシート２０及び第１のフィルム６０を加熱し、キャリアシート２０と型との間の空気を吸い出すことによって、キャリアシート２０を型に押し付け、キャリアシート２０及び第１のフィルム６０の上に正の空気圧を掛けることであり得る。
【００４２】
熱成形は、第１のフィルム６０が、キャリアシート２０に密着するように、キャリアシート２０と第１のフィルム６０との間に一時的または永続的な親和性が作り出されることを作り出す。そのように望まれる場合、この段階で、第１のフィルム６０をキャリアシート２０から引き剥がすことが可能であることに留意することは重要である。しばらくの間放っておくと、第１のフィルム６０は、シュリンクバックし始める可能性がある。しかしながら、シュリンクバックし始めるのに必要とされる時間は、熱成形されなかったフィルムのシュリンクバックの速さに比べて、かなり長い。キャリアシート２０と第１のフィルム６０との間の親和性は、内ホルダ４２、５２が、ファイリング機械１１０によって、それぞれ第１及び第２の洗浄組成物４８、５８で充填されるときに有用である。充填の前には、第１のフィルム６０のシュリンクバックがほとんどまたは何も起こらないことから、内ホルダ４２、５２の内部空洞４６、５６の各々の全容積が、洗浄組成物４８、５８で充填され得る。
【００４３】
内ホルダ４２、５２がそれらのそれぞれの洗浄組成物４８、５８で充填されると、第２のフィルム６２は、第１のフィルム６０を覆うように位置付けられ、次いで封着ステーション１２０において、内ホルダ４２の各々の縁４９周りで、及び封着ステーション１２０において、内ホルダ５２の各々の縁５９周りで封着され得る。例えば、接着剤や、熱、超音波、レーザ、振動、スピン、無線周波数、溶剤溶着、またはそれらの任意の組み合わせによる溶着を含む、任意の適切な方法が、第２のフィルム６２を第１のフィルム６０に封着するために使用され得る。封着後、第２のフィルム６２は、図６で例示されるように、内ホルダ４２、５２の各々の内容物を封入する。一実施形態において、第１及び第２のフィルム６０、６２を一つに封着することは、フィルム６０、６２を同時に熱成形することを伴う。
【００４４】
次に、互いから個々のパウチ４０、５０を分けるために、第１及び第２のフィルム６０、６２が、切断ステーション１３０において切断される。このことは、パウチ４０、５０の各々の縁４９、５９周りで、第１及び第２のフィルム６０、６２を型抜きするが、基本のキャリアシート２０は切断しないことによってなされ得る。続いて、巻き取りステーション１４０において、不用な中間材料が取り除かれ得る。図７は、この作業の平面図を例示する。切断ステーション１３０において、第１及び第２のフィルム６０、６２を切断した後、不用な材料１３５が、巻き取りステーション１４０へ上向きに取り除かれ、キャリアシート２０におけるそれらのそれぞれの凹部２６に保持されている、分けられたパウチ４０、５０を残しておく。キャリアシート３０の上面３３の部分が、この工程によって露出され得る。切断及び取り除き工程は、粘着ラベルの平台型抜きに使用される工程（粘着面材のみが切断され、切断されていないシリコーン離型材に密着している粘着ラベルを残す）と同様であり得る。
【００４５】
パウチ４０、５０が切断され、廃棄材料１３５が取り除かれると、脆弱な引裂き線３８が、ステーション１５０においてキャリアシート内に形成され得る。脆弱な引裂き線３８は、例えば、レーザエッチング及び／またはスコアリングを含む任意の好適な方法により形成され得る。脆弱な引裂き線３８は、図２で例示されるように、キャリア２０を凹部２６の対に分割し得る。各対の凹部２６は、折り線２８（これは、本方法のこの時点では作り出されていない）のそれぞれ反対側に位置し得る。代替的な実施形態において、脆弱な引裂き線３８は、各マルチドーズ型洗浄製品１０に含まれるパウチの数に応じて、キャリアシート２０をより多くの凹部２６の４つの群に分割し得る。
【００４６】
脆弱な引裂き線３８の形成に続いて、封着材料の線３２（図２で参照されたい）は、封着ステーション１６０でキャリアシート２０の露出した上面３３に適用され得る。封着材料の線３２は、キャリアシート２０が折り重ねられた後、キャリアシート２０の第１の端２２がキャリアシート２０の第２の端２４に接着することを確実にする。封着材料の線３２は、例えば、エポキシ、ポリウレタン、アクリル、及び／またはシリコーンを含む任意の好適な接着材料から作製され得る。図２で例示されるように、封着材料の線３２のうちの１つは、キャリアシート２０の第２の端２４の外縁の周囲の長さに従い得る。代替的に、または加えて、封着材料の線３２は、キャリアシート２０の第２の端２４の縁の周囲の長さに従い得る。封着材料の線３２は、引剥ツマミ２４が形成されるようにキャリアシート２０の外縁からずらされ得る。封着材料の線３２は、図２で示されるように、脆弱な引裂き線３８の各々の反対側にも提供され得る。ゆえに、ウェブ８からマルチドーズ型洗浄製品１０のうちの１つを取り外すことは、隣のマルチドーズ型洗浄製品１０の封着に影響を与えないであろう。
【００４７】
自然硬化接着剤または加熱活性化溶接材料を含む任意の好適な材料が、封着材料の線３２に関して使用され得る。封着材料の線３２の代替として、または加えて、キャリアシート２０の第１及び第２の端２２、２４は、キャリアシート２０が折り重ねられた後に、キャリアシート２０の第１及び第２の端２２、２４を溶融することにより１つに装着され得る。かかる溶融手順は、例えば、電気、レーザ、振動、急回転、高周波、またはそれらのいくつかの組み合わせを通してキャリアシート２０に熱を適用することを伴い得る。
【００４８】
封着ステーション１６０の後、キャリアシート２０及びパウチ４０、５０は、切断及び折り重ねステーション１７０に送り込まれる。ここで、キャリアシート２０は、キャリアシート２０を切断して得られた部分が所望の数のパウチ４０、５０を収容するように、その縦軸に対して垂直に切断され得る。次いで、キャリアシート２０は、パウチ４０の各々がパウチ５０のうちの対応する１つに重なり合うように、折り線２８に沿って折り重ねられ得る。折り重ね手順は、図８で例示されるように、キャリアシート２０を折り線２８に沿って下に保持し、下からキャリアシート２０の第１及び第２の端２２、２４上を押し上げることにより達成され得る。キャリアシート２０の第１及び第２の端２２、２４は、封着材料の線３２の存在に起因して、折り重ねた後、互いに接着し得る。折り重ねた後、折り線２８の一方の側にある凹部２６のうちの１つ１つは、折り線２８の他方の側にある凹部２６のうちの対応する１つに重なり合い得る。また、パウチ４０のうちの１つ１つは、パウチ５０のうちの対応する１つに重なり合い得る。重なり合うパウチ４０、５０の各対は、キャリアシート２０のそれらの関連する重なり合う凹部２６と組み合わせて、マルチドーズ型洗浄製品１０を画定し得る。この手法でキャリアシート２０を折り重ねることにより、それらのそれぞれの凹部２６内で、キャリアシート２０の上部にパウチ４０、５０の各々を封着するためのカバーシートを位置付ける必要がない。また、キャリアシート２０を折り重ねることは、マルチドーズ型洗浄製品１０を形成する比較的単純で効率的な方法を提供する。
【００４９】
本実施形態は、１つのマルチドーズ型洗浄製品１０につき２つのパウチを含むが、他の実施形態は、例えば、１つのマルチドーズ型洗浄製品１０につき３つ、４つ、５つ、６つ、またはそれよりも多くのパウチがあるなど、別様に配列され得る。また、キャリアシート２０のどこが切断されるかに応じて、最終ウェブ８は、図１で例示されるように、３つのマルチドーズ型洗浄製品を含む、任意の数のマルチドーズ型洗浄製品１０を有し得る。
【００５０】
前述のことから、本開示が、マルチドーズ型洗浄製品のウェブを形成する改善された構成及び方法を有利に提供することがわかり得る。キャリアシートに保持されるパウチを保護するためのカバーシートの排除は、製造費用及び製造時間を低減する。また、キャリアシートを折り重ねることは、パウチを対にして、マルチドゥーズ（ｍｕｌｔｉ−ｄｏｅｓ）型洗浄製品を作り出すための比較的単純で効率的な方法を提供する。さらに、シュリンクバックの影響は、パウチ及びキャリアシートのフィルムを１つに熱成形することにより低減または排除され、これにより、パウチの全容積を洗浄組成物で充填することが可能になる。
【００５１】
本開示は、特定の実施形態に関連して説明されたが、なおも添付の特許請求の範囲の範囲内にある変更が、それらに対して行われ得ることが理解されるであろう。
本発明は、以下の事項を含んでいる。
（付記１）
マルチドーズ型洗浄製品のウェブであって、
第１の端、第２の端、第１の複数の凹部、及び第２の複数の凹部を有するキャリアシート、
前記第１の複数の凹部内に配置され、第１の洗浄組成物を収容する第１の複数のパウチ、
前記第２の複数の凹部内に配置され、第２の洗浄組成物を収容する第２の複数のパウチ、を備え、
各マルチドーズ型洗浄製品が、少なくとも一対の重なり合う第１及び第２のパウチ、ならびに少なくとも一対の重なり合う第１及び第２の凹部により画定されるように、前記キャリアシートの前記第１の端が、前記キャリアシートの前記第２の端に折り重ねられる、ウェブ。
（付記２）
前記キャリアシートの前記第１及び第２の端が、異物の進入を阻害するために一つに封着されている、付記１に記載のウェブ。
（付記３）
前記第１及び第２の複数のパウチが、水溶性材料から作製される、付記２に記載のウェブ。
（付記４）
前記キャリアシートが、耐水性材料から作製される、付記３に記載のウェブ。
（付記５）
前記第１の洗浄組成物で充填される第１のホルダ及び前記第１のホルダの開放端を覆う第１の蓋を有する前記第１の複数のパウチの各々と、
前記第２の洗浄組成物で充填される第２のホルダ及び前記第２のホルダの開放端を覆う第２の蓋を有する前記第２の複数のパウチの各々と、を備える、付記４に記載のウェブ。
（付記６）
前記第１及び第２のホルダが、前記キャリアシートに熱成形される、付記４に記載のウェブ。
（付記７）
前記マルチドーズ型洗浄製品のうちの少なくとも１つが、少なくとも二対の重なり合う第１及び第２のパウチ、ならびに二対の重なり合う第１及び第２の凹部により画定される、付記１〜６のいずれか１項に記載のウェブ。
（付記８）
マルチドーズ型洗浄製品が前記ウェブから別個に切り離し可能になるように、前記キャリアシート内に形成された複数の脆弱な引裂き線を備える、付記７に記載のウェブ。
（付記９）
前記第１の洗浄組成物が、食器洗い洗剤、洗濯洗剤、水軟化剤、またはすすぎ助剤のうちの少なくとも１つである、付記１〜８のいずれか１項に記載のウェブ。
（付記１０）
封着された内部容積を画定する折り重ねられたキャリアシートと、
前記封着された内部容積内にあり、第１の洗浄組成物を収容する第１のパウチと、
前記封着された内部容積内にあり、第２の洗浄組成物を収容する第２のパウチと、を備える、マルチドーズ型洗浄製品。
（付記１１）
前記第１のパウチが、前記第１の洗浄組成物で充填される第１の水溶性のホルダ及び前記第１の水溶性のホルダの開放端を覆う第１の水溶性の蓋により形成される、付記１０に記載のマルチドーズ型洗浄製品。
（付記１２）
前記第２のパウチが、第２の洗浄組成物で充填される第２の水溶性のホルダ及び前記第２の水溶性のホルダの開放端を覆う第２の水溶性の蓋により形成される、付記１１に記載のマルチドーズ型洗浄製品。
（付記１３）
前記折り重ねられたキャリアシートが、耐水性材料から作製される、付記１２に記載のマルチドーズ型洗浄製品。
（付記１４）
前記第１及び第２の水溶性のホルダが、前記折り重ねられたキャリアシートに熱成形される、付記１３に記載のマルチドーズ型洗浄製品。
（付記１５）
前記第１の洗浄組成物が、食器洗い洗剤、洗濯洗剤、水軟化剤、またはすすぎ助剤のうちの少なくとも１つである、付記１０〜１４のいずれか１項に記載のマルチドーズ型洗浄製品。
（付記１６）
マルチドーズ型洗浄製品のウェブを作製する方法であって、
第１のフィルムをキャリアシートと対面させて位置付けることと、
前記第１のフィルム及び前記キャリアシートを成形装置の型上に送り込み、前記キャリアシートを前記型と前記第１のフィルムとの間に位置付けることと、
前記第１のフィルム及び前記キャリアシートを前記型上で同時に成形して、前記第１のフィルム内の第１の複数の内ホルダ、前記第１のフィルム内の第２の複数の内ホルダ、前記第１の複数の内ホルダと対応する前記キャリアシート内の第１の複数の外ホルダ、及び前記第２の複数の内ホルダと対応する前記キャリアシート内の第２の複数の外ホルダを画定することと、
前記第１の複数の内ホルダの各々を第１の洗浄組成物で充填し、前記第２の複数の内ホルダの各々を第２の洗浄組成物で充填することと、
前記第１のフィルムを覆うように第２のフィルムを位置付けることと、
前記第２のフィルムを前記第１の複数の内ホルダの各々の縁周りに封着して、第１の複数のパウチを画定し、前記第２のフィルムを前記第２の複数の内ホルダの各々の縁周りに封着して、第２の複数のパウチを画定することと、
前記第１の複数のパウチの各々が、前記第２の複数のパウチのうちの対応する１つに重なり合うように、前記キャリアシートを前記第１の複数の外ホルダと前記第２の複数の外ホルダとの間の線に沿って折り重ねることと、
前記キャリアシートの重なり合う部分を一つに封着することと、を含む、方法。
（付記１７）
前記第１及び第２のフィルムの各々が、水溶性材料から作製される、付記１６に記載の方法。
（付記１８）
前記キャリアシートが、耐水性材料から作製される、付記１７に記載の方法。
（付記１９）
前記第１のフィルム及び前記キャリアシートを前記型上で熱成形して、前記第１及び第２の複数の内ホルダ、ならびに前記第１及び第２の複数の外ホルダを画定することを含む、付記１８に記載の方法。
（付記２０）
前記第１のフィルム及び前記第２のフィルムを切断することと、前記第１のフィルムを切断することにより生産される廃棄材料の領域を取り除いて、前記第１及び第２の複数のパウチを分離することと、を含む、付記１６〜１９のいずれか１項に記載の方法。
（付記２１）
各マルチドーズ型洗浄製品が、少なくとも一対の重なり合う第１及び第２の外ホルダ、ならびに一対の重なり合う第１及び第２のパウチにより画定される、付記１６〜２０のいずれか１項に記載の方法。
（付記２２）
前記マルチドーズ型洗浄製品が前記ウェブから別個に切り離し可能になるように、前記キャリアシート内に複数の脆弱な引裂き線を形成することを含む、付記１６〜２１のいずれか１項に記載の方法。
（付記２３）
前記第１の洗浄組成物が、食器洗い洗剤、洗濯洗剤、水軟化剤、またはすすぎ助剤のうちの少なくとも１つである、付記１６〜２２のいずれか１項に記載の方法。
【図１】
0006804459.tif 000002
【図２】
0006804459.tif 000003
【図３】
0006804459.tif 000004
【図４】
0006804459.tif 000005
【図５】
0006804459.tif 000006
【図６】
0006804459.tif 000007
【図７】
0006804459.tif 000008
【図８】
0006804459.tif 000009